(57)【要約】【課題】ユーザの在庫品物等により大まかな買い物リストを作り、これにもとづき電子チラシを参照して購入品物とその購入先店を決定する買物支援システムを提供すること。【解決手段】このため、電子チラシから買い物リストの作成を支援するシステムにおいて、配信された電子チラシをユーザに提示し、電子チラシから買い物リストに加える商品をユーザが選択すると選択されたことが判別できるイメージで提示し、ユーザから買い物リストの提示が要求されると、選択された商品から１つの買い物リストを作成してユーザに提示する買い物リスト作成手段３０と、上記買い物リスト作成手段で作成された買い物リストを、店舗毎の買い物リストに分割し、店舗毎に買い物リストを送信し、買い物リストをユーザの携帯端末に送信する買い物リスト送信手段３１を有する買い物支援システムを提供する。【選択図】  図２
2006236014.tif 000002
【特許請求の範囲】
【請求項１】
商品のイメージデータと、店舗名、アドレスを含むチラシ情報データと、商品名と価格を含む商品情報データを有する電子チラシから買い物リストの作成を支援し、買い物リストを利用した買い物支援システムにおいて、
配信された１つまたは複数の電子チラシをユーザに提示し、電子チラシから買い物リストに加える商品をユーザが選択すると選択された商品のイメージを選択されたことが判別できるイメージで提示し、ユーザから買い物リストの提示が要求されると、選択された１つまたは複数の商品から１つの買い物リストを作成してユーザに提示する買い物リスト作成手段と、
上記買い物リスト作成手段で作成された買い物リストを、店舗毎の買い物リストに分割し、店舗毎に店舗毎の買い物リストを送信し、また買い物リストをユーザが指定した携帯端末に送信する買い物リスト送信手段
を具備したことを特徴とする買い物リストを利用した買い物支援システム。
【請求項２】
前記請求項１の買い物リスト作成手段を、
配信された１つまたは複数の電子チラシから、買う物が商品名やカテゴリで表現されている買い物概要リストの商品名やカテゴリと一致する商品を取り出し、該当する商品のイメージを一致していないものと異なるイメージで提示することを特徴とする買い物リストを利用した買い物支援システム。
【請求項３】
前記請求項２の買い物支援システムにおいて、
保管物の在庫状態を管理することが可能な保管物管理手段や、利用する材料の情報を発信する材料情報発信手段から、必要な品物の情報を取得し、買い物概要リストを作成し、また作成した買い物概要リストをユーザに提示し、ユーザが編集した情報から買い物概要リストを更新可能にする買い物概要リスト作成手段をもつ買い物リストを利用した買い物支援システム。
【請求項４】
前記請求項２または請求項３の買い物支援システムにおいて、
買い物リスト作成手段において作成された買い物リストを保管し、買い物リストのチラシ情報や商品情報から買い物リストにある商品の情報の有効期限を監視し、期限が近づいたら通知し、また購入後、店舗サーバや携帯端末から購買履歴を受取ると、保管している買い物リストから購入した商品を削除修正して買い物リストを更新する買い物リスト管理手段を設け、
買い物概要リスト作成手段で買い物概要リストを作成するときや、買い物リスト作成手段で買い物リストを作成するときに、前記買い物リスト管理手段で保管している買い物リストの情報を使用することを特徴とする買い物リストを利用した買い物支援システム。
【請求項５】
前記請求項３の買い物概要リスト作成手段を、
保管物管理手段から取得した保管物をキーに、材料情報発信手段でその保管物を利用して作ることが可能なものを検索し、その材料情報を取得することにより買い物概要リストを作成することを特徴とする買い物リストを利用した買い物支援システム。
【発明の詳細な説明】
【技術分野】
【０００１】
本発明は、消費者のための買い物支援システムに係り、特に、店舗で買い物をする消費者が買い物リストを利用して買い物をするときの買い物支援システムに関する。
【背景技術】
【０００２】
買い物に行く際、消費者はよく冷蔵庫や棚等をチェックし、買い忘れや無駄なものを買わないよう買い物リストを作る。また新聞の折り込み広告や、郵便受け、路上などで配布されたチラシに目を通し、お得情報をチェックしたり、クーポンを切り取ったりするなどで、同じものを購入するなら出費を抑えようとしたり、お得なときを狙って買い物をしたりする。このような消費者に対して、ＩＴやインターネットを利用したサービスが多く構築されている。
【０００３】
（１）従来例１
従来例１では、サーバに会員登録を受け付けるための会員登録用ホームページ生成部と、会員に対するメッセージを生成し送信する会員情報生成・送信部と、契約した店舗に対し、会員に送ったメッセージの内容と、その送付先等の情報を送信するとともに、店舗からの情報を受信して処理する店舗情報送信・処理部を備える。（特許文献１参照）
ユーザはその携帯電話機に表示されたメッセージを提示すると割引サービス等の所定のサービスを受けることができる。また店舗側では、サービスを提供するとともに、ユーザの電話番号等の識別情報、提供サービスの内容、提供日時等の情報をサーバに送信し、顧客分析などに利用する。
【０００４】
（２）従来例２
従来例２では、任意の地域にのみ電子チラシを配布するために、メールアドレスと住所を関連付け、電子チラシの内容に応じて指定された区域に該当する住所を有するメールアドレスを抽出し、抽出したメールアドレスを使用して電子チラシを配布するものである。（特許文献２参照）
【０００５】
（３）従来例３
従来例３では、商店街のホームページサーバが、商店街端末機からの指示により商店街の情報を、登録してあるユーザのメールアドレスへ電子メールにより送信するものである。（特許文献３参照）
【０００６】
（４）従来例４
従来例４では、特売情報からなる広告に特売商品の価格を含む添付ファイルを添付して電子メール携帯電話機へ送信すると、ユーザは、広告を見て商店で特売品を入手し、その入手した商品を支払所に持参し、携帯電話機に表示された添付ファイルをＰＯＳシステムにより読込むことにより購入商品の代金を清算するものである。（特許文献４参照）
【０００７】
（５）従来例５
従来例５では、あらかじめＰＣ（パソコン）で入力し購入した購入希望商品情報を会員識別情報と共に店舗サーバに登録し、店舗で会員カードをＰＯＳに提示することで確認を行い、正当な取引と判断してサービスを行うものである。（特許文献５参照）
（６）従来例６
従来例６では、ユーザに対して食品保存庫の庫内画像を有効に活用させ、不足食品や必要食品の経済的な調達に活用させるために、冷蔵庫に設置されたカメラにより庫内画像を撮像してデータベースに保持し、ユーザはユーザの携帯端末からネットワークを通じて庫内画像（データベース情報）を呼び出し、携帯端末で庫内画像をチェックし、足りない食材があるとき、宅外サーバにアクセスして食品情報データベースを検索し、安価に該当食品を提供している店を抽出し、携帯端末に表示するものである。（特許文献６参照）
【０００８】
【特許文献１】特開２００１−１８８８５６号公報
【特許文献２】特開２００１−１８９７４８号公報
【特許文献３】特開２００２−１４０２７４号公報
【特許文献４】特開２００２−２０３１６５号公報
【特許文献５】特開２００２−１８９８９５号公報
【特許文献６】特開２００２−２４３３３５号公報
【発明の開示】
【発明が解決しようとする課題】
【０００９】
上記従来例１〜従来例４では、店舗の電子チラシが携帯電話に送られてきてその情報から購入品を検討することになり、もしも電子チラシの中にユーザが買いたい品物が存在しない場合、ユーザがあらかじめ作った、必要とするもののリストとは別に、電子チラシの範囲内での買い物をするためのリストを作り、別に管理することが必要となる。
【００１０】
上記従来例５では、店舗から送られてくる情報から品物を選択することで買い物リストを作ることができるが、複数の店舗から情報が送られてきた場合、１つにまとめて買い物リストを作ることができない。
【００１１】
上記従来例６では、品物を宅外サーバ（Ｗｅｂサーバ）にアクセスして店を抽出しているが、地域や個人向けなど特定の条件で配布された電子チラシを利用することができず、前記従来例５と同様な問題がある。
【００１２】
このように、従来のものでは、買い物のプロセスとしてよくある、先ず家の在庫品やその賞味期限を調べて、大まかな買い物リストを作り、送られてきたチラシを大まかな買い物リストに基づいてチェックし、最終的に何をどこで購入するのかという細かい買い物リストを作成するというプロセスが踏めない。
【課題を解決するための手段】
【００１３】
このため、本発明では、買い物リスト作成の元となる在庫情報から購入を必要とする商品のリストを作成し、提供されたり検索したりするなどで得られた電子チラシや電子広告、電子的なＤＭ（ダイレクトメール）等から、購入する商品のリストにある商品を関連付け、提示することにより、消費者の買い物リスト作成を支援し、これにより買い物を支援するものである。
【００１４】
また作成された買い物リストを購入する店舗毎に分割し、該当する店舗サーバや携帯電話の如き携帯端末に送ることで店舗で買い物リストを確認したり、家にいなくても買い物リストを修正したりすることが可能になるものである。
【００１５】
前記のようなことを達成するため本発明では下記（１）〜（５）の如く構成した。
【００１６】
（１）商品のイメージデータと、店舗名、アドレスを含むチラシ情報データと、商品名と価格を含む商品情報データを有する電子チラシから買い物リストの作成を支援し、買い物リストを利用した買い物支援システムにおいて、配信された１つまたは複数の電子チラシをユーザに提示し、電子チラシから買い物リストに加える商品をユーザが選択すると選択された商品のイメージを選択されたことが判別できるイメージで提示し、ユーザから買い物リストの提示が要求されると、選択された１つまたは複数の商品から１つの買い物リストを作成してユーザに提示する買い物リスト作成手段と、上記買い物リスト作成手段で作成された買い物リストを、店舗毎の買い物リストに分割し、店舗毎に店舗毎の買い物リストを送信し、また買い物リストをユーザが指定した携帯端末に送信する買い物リスト送信手段を具備したことを特徴とする。
【００１７】
（２）前記（１）の買い物リスト作成手段を、配信された１つまたは複数の電子チラシから、買う物が商品名やカテゴリで表現されている買い物概要リストの商品名やカテゴリと一致する商品を取り出し、該当する商品のイメージを一致していないものと異なるイメージで提示することを特徴とする。
【００１８】
（３）前記（２）の買い物支援システムにおいて、保管物の在庫状態を管理することが可能な保管物管理手段や、利用する材料の情報を発信する材料情報発信手段から、必要な品物の情報を取得し、買い物概要リストを作成し、また作成した買い物概要リストをユーザに提示し、ユーザが編集した情報から買い物概要リストを更新可能にする買い物概要リスト作成手段をもつことを特徴とする。
【００１９】
（４）前記（２）または（３）の買い物支援システムにおいて、買い物リスト作成手段において作成された買い物リストを保管し、買い物リストのチラシ情報や商品情報から買い物リストにある商品の情報の有効期限を監視し、期限が近づいたら通知し、また購入後、店舗サーバや携帯端末から購買履歴を受取ると、保管している買い物リストから購入した商品を削除修正して買い物リストを更新する買い物リスト管理手段を設け、買い物概要リスト作成手段で買い物概要リストを作成するときや、買い物リスト作成手段で買い物リストを作成するときに、前記買い物リスト管理手段で保管している買い物リストの情報を使用することを特徴とする。
【００２０】
（５）前記（３）の買い物概要リスト作成手段を、保管物管理手段から取得した保管物をキーに、材料情報発信手段でその保管物を利用して作ることが可能なものを検索し、その材料情報を取得することにより買い物概要リストを作成することを特徴とする。
【発明の効果】
【００２１】
本発明により、下記の如き効果を奏することができる。
【００２２】
（１）複数の電子チラシを１つの買い物リストに作成することができるので、買い物が非常に便利になる。また買い物リストを各店舗毎に分割して各店舗に送信することができるので、実際のショッピングを簡単に行うことができる。
【００２３】
（２）買い物概要リストの商品名やカテゴリと一致した商品を一致していることがわかるイメージで提示したので必要とする商品の存在をすぐに認識することができる。
【００２４】
（３）保管物管理手段や、材料情報発信手段等から必要な品物の情報を取得して買い物概要リストを作成するので必要なものを漏れなく簡単にリストアップすることができる。また作成した買い物概要リストをユーザに提示し、ユーザが編集した情報から買い物概要リストを更新できるので、必要なものを更に正確にリストアップすることができる。
【００２５】
（４）有効期限情報や購買履歴情報を参照して買い物リストや買い物概要リストを作成するこができるので、必要なものを正確に認識した買い物を行うことができる。
【００２６】
（５）現在保存されている品物を参考にして必要な品物を購入するので、残り物を有効に活用する買い物を行うことができる。
【発明を実施するための最良の形態】
【００２７】
本発明の実施形態の概略を図１に示す。
【００２８】
図中、１はホームネットワーク、２はインターネット、３は在庫管理冷蔵庫、４は第１在庫管理棚、５は第２在庫管理棚、６はデジタルテレビ、７は買い物リスト作成ＰＣ (パソコン）、８は電子チラシ配信局、９は料理番組配信局、１０は携帯端末、１１は電子チラシ配信サーバ、１２はレシピサイト、１３は店舗１サーバ、１４は店舗２サーバである。
【００２９】
ホームネットワーク１には在庫管理冷蔵庫３、第１在庫管理棚４、第２在庫管理棚５、デジタルテレビ６、買い物リスト作成ＰＣ７等が接続されている。
【００３０】
在庫管理冷蔵庫３は、庫内に保存されている品物あるいは使用ずみの品物が管理可能に構成されている冷蔵庫であって、品物を管理するために、庫内にカメラを配置してその損影画像を買い物リスト作成ＰＣ７よりインターネット２を経由してユーザの携帯端末１０に送信し、その携帯端末１０の表示画面の画像より庫内に存在する品物を確認するものである。また使用ずみの品物を管理する場合には、冷蔵庫３内に保存する品物にＲＦＩＤ（無線タグ）を取付け、品物を出し入れする庫にそのドア付近に設けた検知器（図示省略）によりこれを検知し、取出したまま再入がないときその品物は保存されなくなったものとしてそのデータをサーバとして機能している買い物リスト作成ＰＣ７で管理し、携帯端末１０よりこの管理データをユーザが読取ることにより、なくなった品物を認識できる。この外冷蔵庫内に保存される品物の保存位置を特定化すること等によっても庫内の品物を管理することができる。
【００３１】
第１在庫管理棚４は、その内部に保存されている品物が管理可能な棚であり、管理手段はＲＦＩＤの使用等前記在庫管理冷蔵庫３と同様の手法により管理可能である。
【００３２】
第２在庫管理棚５も、これまた前記第１在庫管理棚４と同様に、その内部に保存されている品物が管理可能な棚である。
【００３３】
デジタルテレビ６は、電子チラシ配信局８や料理番組配信局９から送信される電子チラシや料理番組を受信し、電子チラシの場合にはその品物のイメージデータを画面に出力したり、チラシ情報データ、商品情報データを受信してこれをサーバとして動作する買い物リスト作成ＰＣ７に送り保持し、料理番組を受信する場合にはそのレシピを買い物リスト作成ＰＣ７に送って保持するものである。
【００３４】
買い物リストＰＣ７は、ユーザの家庭内に設けたホームネットワーク１におけるサーバとして動作するもので、前記在庫管理冷蔵庫３、第１在庫管理棚４、第２在庫管理棚５の在庫情報を保持、出力したり、電子チラシ配信局８から配信される電子チラシ情報を保持したり、料理番組配信局９から配信される料理番組のレシピを保持したり、電子チラシ配信サーバ１１より送信される電子チラシ情報を保持したり、レシピサイト１２より送信される料理のレシピを保持したり、買い物リストを作成したり、買い物リストを携帯端末１０に送信し前記図３に示す如く、編集処理を行ったり、買い物リストを店舗毎に分割して各店に送信する等の処理を行うものである。
【００３５】
電子チラシ配信サーバ１１は、電子チラシをインターネット２を経由してユーザに配信するものである。
【００３６】
レシピサイト１２は料理の献立のレシピをユーザに出力するものである。
【００３７】
（１）第１の実施の形態
本発明の第１の実施の形態を図２、図３により、他図を参照して説明する。図２において、３０は買い物リスト作成手段、３１は買い物リスト送信手段、３２は電子チラシ、３３はイメージ、３４はチラシ情報データ、３５は商品情報データ、３６は買い物リスト、３７、３８は分割買い物リストである。
【００３８】
買い物リスト作成手段３０は、電子チラシ３２の情報と、ユーザが選択した商品にもとづき後述するように、買い物リスト３６を作成するものである。
【００３９】
買い物リスト送信手段３１は、買い物リスト３６にもとづき、買い物リスト３６全体をユーザの携帯端末１０に送信したり、買い物リスト３６を購買店毎に分割した分割買い物リスト３７、３８・・・に分割し、購買店毎に該当する店舗サーバに送信するものである。
【００４０】
なお前記買い物リスト作成手段３０、買い物リスト送信手段３１は、サーバとして動作する買い物リスト作成ＰＣ７のＣＰＵの機能の一部である。
【００４１】
電子チラシ３２は、例えば電子チラシ配信サーバ１１から各ユーザに送信されるものであって、商品のイメージを示すイメージデータ３３と、店名、サーバのアドレス、有効期間を示すチラシ情報データ３４と、商品名、品物のカテゴリ、値段等を示す商品情報データとを含むものである。
【００４２】
買い物リスト作成手段３０の動作について説明する。図２に示す如く、買い物リスト作成手段３０には電子チラシ３２のチラシ情報データ３４として、例えば店名がＮｅｘｔＭａｒｔ、店舗サーバのアドレスがhttp://nextmart/list.jsp、有効期限２００５年２月１日から２００５年２月５日が、商品情報データ３５として、牛乳カテゴリのいろは牛乳が１個１９８円、トイレットペーパーカテゴリのＮｅｘｔＭａｒｔペーパーシングル１２ロールが１個３８８円、卵カテゴリの元気な卵が１ケース１００円、牛肉カテゴリの国内産サローインステーキが１００ｇ４９８円、クーポンカテゴリのＨａｐｐｙ  Ｃｏｕｐｏｎの、４つの商品と１つのクーポンが、イメージデータ３３と共に送られてくる。これをサーバとして動作する買い物リスト作成ＰＣ７の、図示省略した記憶部に保持する。
【００４３】
買い物リスト作成手段３０は、この電子チラシ３２のイメージデータ３２′をデジタルテレビ６や買い物リスト作成ＰＣ７のモニタでユーザに提示し、ユーザが必要とする商品をクリックして選択すると、買い物リスト作成手段３０は電子チラシ３２′上の該当する商品を、例えば赤枠で囲むとか、ハイライト表示、点滅表示等の選択されたことが判別できる、一致しないものとは異なる状態で表示し、ユーザが確認操作を行うと、選択された商品を集め、電子チラシ３２の商品情報データ３５から該当の商品の商品情報データを抽出し、店舗毎にソートして、ひとつの買い物リスト３６を作成する。
【００４４】
買い物リスト作成手段３０は、このように作成した買い物リスト３６を買い物リスト送信手段３１に送信する。買い物リスト送信手段３１は、この買い物リスト３６全体をユーザの携帯端末１０に送信するとともに、店舗毎の買い物リストに分割し、該当する店舗毎に選択された商品を店舗毎の買い物リストとして各店舗の店舗サーバに送信する。
【００４５】
なお、買い物リスト作成手段３０の動作は、例えば電子チラシ３２を受信したときに開始することができる。勿論適当な時刻を決めて動作開始を行うことができる。
【００４６】
買い物リスト作成手段３０で作成された買い物リスト３６が携帯端末１０に送られると、携帯端末１０では、図３に示す如く、店舗毎に買い物リストが提示される。
【００４７】
ユーザは、買い物リストの各商品の先頭にあるチェックボックスのチェックをつけたり、外したりすることにより、買い物リストに入れておくか、取り除くかを選択できる。またユーザは、買い物リストの各商品の数量を変更することができる。なお数量は、最初デフォルトですべて数値１と表示し、ユーザが２とか３・・・に訂正できる。ユーザがチェックを編集したり、数量を編集したりすると、該当商品の小計および買い物リストの合計金額が再計算される。
【００４８】
最後にユーザが登録を選択することにより編集画面通りの情報が買い物リスト送信手段３１に送出されて、各店舗毎の買い物リストが修正されることになる。このようにして携帯端末１０においてユーザによる編集処理を行うことができる。
【００４９】
（２）第２の実施の形態
本発明の第２の実施の形態を図４、図５及び図６により、他図を参照して説明する。図４は第２の実施の形態説明図（その１）、図５は第２の実施の形態説明図 (その２）、図６は買い物概要リスト作成説明図である。図において４０は買い物概要リストであり、ユーザが買いたい品物を示すもので、あらかじめユーザが例えば携帯端末１０より入力するものであり、買い物リスト作成ＰＣ７の記憶部に保持されている。買い物概要リスト４０は、テキストエディタやＷｅｂブラウザにより作成できる。図６に示す買い物概要リスト編集画面４０′を呼出して入力項目に品物を入力すればよい。図４、図５の場合は、ユーザが買いたい品物として牛乳、トイレットペーパー、卵、たまねぎを入力した場合を示す。この買い物概要リスト４０は、買い物リスト作成手段３０に通知されている。
【００５０】
したがって、図４に示す如き電子チラシ３２が受信されると、買い物リスト作成手段３０は、買い物概要リスト４０からユーザが必要とする品物が牛乳、トイレットペーパー、卵、たまねぎであることを認識し、商品情報データ３５をアクセスして、マッチするものをデフォルトで選択し、牛乳とトイレットペーパーと卵が一致していることを認識する。
【００５１】
そしてこの一致している商品のイメージ３３′の前記一致した商品を、一致していることがわかるイメージ例えば赤枠で囲むとか、ハイライト表示するとか、点滅表示する等で表示し、ユーザに買い物概要リスト４０の商品と一致したものを知らせる。
【００５２】
ユーザはこれをみて、それが購入すべき品物か否かを選択判別し、この決定事項を買い物リスト作成手段３０に通知する。
【００５３】
このようにして全部または一部の電子チラシ３２に対する選択・決定が終了したあとで、買い物リスト作成手段３０は選択された商品を集め、電子チラシ３２上の商品情報データ３５から該当の商品情報データを抽出し、店舗毎にソートして、ひとつの買い物リストを作成し、買い物リスト送信手段３１により、前記図２と同様に買い物リスト全体をユーザの携帯端末１０に送信し、店舗毎に分割された買い物リストを各店舗毎の店舗サーバに送信する。
【００５４】
このようにして買い物概要リストと一致した電子チラシにおける商品の存在を自動的に認識し、買い物リストを自動的に作成することができる。
【００５５】
ところで買い物概要リスト４０にリストした商品が複数の電子チラシに存在した場合、これらを比較表示して選択しやすいように構成した場合を図５に示す。
【００５６】
図５では買い物概要リスト４０にリストされた商品例えば牛乳が、ＮｅｘｔＭａｒｔの電子チラシと、ｆｍａｌｌの電子チラシに記入されている場合を示す。
【００５７】
買い物リスト作成手段３０は、先ずＮｅｘｔＭａｒｔの電子チラシを検索し、牛乳、トイレットペーパー、卵の各商品が買い物概要リスト４０にリストされた商品と一致することを認識し、デフォルトで選択し、ユーザに、例えば赤枠で囲み、買い物概要リスト４０と一致した商品の存在を示す。そしてこれら一致した商品の商品情報データを一時、図示省略した記憶部で保持する。
【００５８】
次に買い物リスト作成手段３０は、ｆｍａｌｌの電子チラシを検索し、牛乳が一致したことを知る。それから買い物リスト作成手段３０はこの牛乳カテゴリと同じカテゴリのものか先の電子チラシに記載されていたか否かを前記図示省略した記憶部で保持している一致した商品の商品情報データをアクセスしてチェックする。
【００５９】
先に一致したカテゴリのものが検出されていた場合には、つまり複数の商品があれば一つの商品だけしかない場合とは異なる表現方法、例えば枠の色を変えるなどして、複数の商品がマッチしたことをユーザに提示する。この例では牛乳というカテゴリがＮｅｘｔＭａｒｔの電子チラシにはいろは牛乳と記載され、ｆｍａｌｌの電子チラシにはｆｍａｌｌ牛乳と記載されており、どちらの電子チラシにも存在するので、いろは牛乳とｆｍａｌｌ牛乳のイメージ３３Ａ′と３３Ｂ′をピンク枠で一緒に提示する。
【００６０】
またユーザがどちらかの商品イメージをクリックなどにより選択した場合、商品名、価格、店名などを比較表４１で表示し、複数のものを比較してユーザに提示する。これによりユーザは必要とするものを正しく選択でき、買い物リスト作成手段３０はこれにもとづき、買い物リストを作成する。
【００６１】
買い物リスト送信手段３１は、前記と同様にしてこの買い物リストからＮｅｘｔＭａｒｔ買い物リスト、ｆｍａｌｌ買い物リストを作成し、これらの買い物リストをＮｅｘｔＭａｒｔサーバ、ｆｍａｌｌサーバに送信するとともに、買い物リストをユーザの携帯端末に送信することができる。
【００６２】
（３）第３の実施の形態
本発明の第３の実施の形態を図７により他図を参照して説明する。図７において、４２は買い物概要リスト作成手段であり、在庫管理冷蔵庫３、在庫管理棚、家計簿等からの不足物情報、レシピサイトや料理番組配信局等からの必要な材料情報等から買い物概要リストを作成するものであり、前記買い物リスト作成ＰＣ７のＣＰＵの機能の一部である。
【００６３】
なお家計簿ではトイレットペーパーやシャンプーの如き定期的に購入する生活必需品の買入れ情報が記入されており、定期的に購入する品物の、前回の購入日をチェックすることにより、不足物が予測できるので、これにより不足物を判断できる。
【００６４】
買い物概要リスト作成手段４２には、例えば在庫管理冷蔵庫より牛乳が不足物であること、在庫管理冷蔵棚よりトイレットペーパーが不足物であること、家計簿よりトイレットペーパーとシャンプーが不足物であること、レシピサイト、料理番組配信局より選択した料理情報により、卵、バター、牛乳、塩が必要であること等の購入対象商品情報が入力される。
【００６５】
買い物概要リスト作成手段４２は、この購入対象商品情報より、重複しているものを１つに整理して、図７に示す如き買い物概要リスト編集画面４０′をユーザの携帯端末１０に送信する。
【００６６】
ユーザはこの買い物概要リスト編集画面４０′に対して、シャンプー、バター、塩は家に保存物があるので購入する必要のないこと、たまねぎが買いたいこと等のユーザの判断にもとづき、必要なものを選択記入する。
【００６７】
これにより、買い物概要リスト作成手段４２は、買い物が牛乳、トイレットペーパー、卵、たまねぎであることを示す買い物概要リスト４０を作成し、買い物リスト作成手段３０に送信する。
【００６８】
これにもとづき買い物リスト作成手段３０は例えば図２に示す電子チラシと照合して買い物リストを作成し、買い物リスト送信手段３１に買い物リストを送り、買い物リスト、店舗毎の買い物リストをユーザの携帯端末や各店舗サーバに送信することができる。
【００６９】
このようにして実際に必要とする不足物や材料等に応じた買い物概要リストを正しく作成することができる。
【００７０】
なお、料理の材料に限らず、キャンプ用品等の用具の組み立て方や使い方などノウハウと共に利用する材料の情報を情報発信手段から取得し、買い物概要リストを作成することもできる。
【００７１】
（４）第４の実施の形態
本発明の第４の実施の形態を図８により他図を参照して説明する。第４の実施の形態では、例えば在庫管理冷蔵庫内に保存されている品物を使用した料理を作るための材料を購入するものである。
【００７２】
いま在庫管理冷蔵庫より卵が残っているという情報が買い物概要リスト作成手段４２に伝達されている場合、買い物概要リスト作成手段４２は、レシピサイトや料理番組配信局に対し卵をキーワードとして卵を使用した料理をアクセスし、そのレシピを受取る。
【００７３】
このアクセスにより例えば最初に卵を使用した料理がオムレツの場合、オムレツのレシピを受信し、材料として卵、バター、牛乳、塩であることとその使用量を受信する。
【００７４】
これにより買い物概要リスト作成手段４２は、これを整理してユーザに買い物概要リスト編集画面４０′を提示し、購入すべきものは牛乳、卵、バター、塩であることを送信する。
【００７５】
ユーザはバターは在庫のあることを知っているのでこれを不要と判断し、別にたまねぎの購入希望を入力し、買い物概要リスト編集画面４０′を提示する。
【００７６】
これにもとづき買い物概要リスト作成手段４２は買い物概要リスト４０を作成し買い物リスト作成手段３０に送出する。買い物リスト作成手段３０は、別途伝達されている電子チラシ、店舗毎の商品情報等により、店舗１の買い物リスト、店舗２の買い物リスト・・・を作成してこれを該当する店舗のサーバに送出するとともに、ユーザの携帯端末に買い物リストを送出する。ユーザはこれにより必要があれば買い物リストを編集することができる。
【００７７】
このようにして、残り物を使用した料理に必要な買い物リストを作成することができる。
【００７８】
（５）第５の実施の形態
本発明の第５の実施の形態を図９により他図を参照して説明する。図９において、４３は買い物リスト管理手段であり、買い物リスト作成手段３０で作成された買い物リストを保持するとともに、ユーザが商品を購入した後で、店舗サーバや携帯端末から購買履歴情報を受け取ると、保管している買い物リストから購入した商品を削除したり量を修正するなどにより買い物リストを更新したり、また、電子チラシのチラシ情報データや商品情報から買い物リストにある商品の情報の有効期限を監視し、有効期限があらかじめ定めた期限以内に近づいたら携帯端末に通知してこれを知らせて商品の期限内購入を促すものである。また前記更新された買い物リストは買い物概要リスト作成手段４２、買い物リスト作成手段３０に送信され、新しく買い物概要リスト、買い物リストを作成するとき使用される。
【００７９】
このようにして買い物概要リストや、買い物リストを自動的に、正確に作成することができる。
【００８０】
なお、買い物リスト管理手段４３は前記買い物リスト作成ＰＣ７のＣＰＵの機能の一部である。
【００８１】
（付記）
前記の説明に、次の構成を付記する。
なお付記（６）〜（８）によれば下記Ａ、Ｂ、Ｃの効果を奏する。
【００８２】
Ａ．付記（６）にもとづきユーザは外出先においても買い物リストを更新、修正することができる。
【００８３】
Ｂ．付記（７）にもとづき、買い物リストを自動的に作成できる。
【００８４】
Ｃ．付記（８）にもとづき、カテゴリがマッチした複数の商品が存在する場合でもこれらの各商品を容易に比較することができ、ユーザは自分の希望に合ったものを正しく選択できる。
【００８５】
（付記１）商品のイメージデータと、店舗名、アドレスを含むチラシ情報データと、商品名と価格を含む商品情報データを有する電子チラシから買い物リストの作成を支援し、買い物リストを利用した買い物支援システムにおいて、
配信された１つまたは複数の電子チラシをユーザに提示し、電子チラシから買い物リストに加える商品をユーザが選択すると選択された商品のイメージを選択されたことが判別できるイメージで提示し、ユーザから買い物リストの提示が要求されると、選択された１つまたは複数の商品から１つの買い物リストを作成してユーザに提示する買い物リスト作成手段と、
上記買い物リスト作成手段で作成された買い物リストを、店舗毎の買い物リストに分割し、店舗毎に店舗毎の買い物リストを送信し、また買い物リストをユーザが指定した携帯端末に送信する買い物リスト送信手段を具備したことを特徴とする買い物リストを利用した買い物支援システム。
【００８６】
（付記２）前記（付記１）の買い物リスト作成手段を、
配信された１つまたは複数の電子チラシから、買う物が商品名やカテゴリで表現されている買い物概要リストの商品名やカテゴリと一致する商品を取り出し、該当する商品のイメージを一致していないものと異なるイメージで提示することを特徴とする買い物リストを利用した買い物支援システム。
【００８７】
（付記３）前記（付記２）の買い物支援システムにおいて、
保管物の在庫状態を管理することが可能な保管物管理手段や、利用する材料の情報を発信する材料情報発信手段から、必要な品物の情報を取得し、買い物概要リストを作成し、また作成した買い物概要リストをユーザに提示し、ユーザが編集した情報から買い物概要リストを更新可能にする買い物概要リスト作成手段をもつ買い物リストを利用した買い物支援システム。
【００８８】
（付記４）前記（付記２）または請求項３の買い物支援システムにおいて、
買い物リスト作成手段において作成された買い物リストを保管し、買い物リストのチラシ情報や商品情報から買い物リストにある商品の情報の有効期限を監視し、期限が近づいたら通知し、また購入後、店舗サーバや携帯端末から購買履歴を受け取ると、保管している買い物リストから購入した商品を削除修正して買い物リストを更新する買い物リスト管理手段を設け、
買い物概要リスト作成手段で買い物概要リストを作成するときや、買い物リスト作成手段で買い物リストを作成するときに、前記買い物リスト管理手段で保管している買い物リストの情報を使用することを特徴とする買い物リストを利用した買い物支援システム。
【００８９】
(付記５）前記 (付記３）の買い物概要リスト作成手段を、
保管物管理手段から取得した保管物をキーに、材料情報発信手段でその保管物を利用して作ることが可能なものを検索し、その材料情報を取得することにより買い物概要リストを作成することを特徴とする買い物リストを利用した買い物支援システム。
【００９０】
(付記６）前記（付記１）の買い物リストが編集送信された携帯端末において、買い物リストの内容を提示し、変更されたチェックや数量などの情報から買い物リストを更新し、必要な店舗サーバに送信することを特徴とする買い物リストを利用した買い物支援システム。
【００９１】
(付記７）前記 (付記２）の買い物リスト作成手段において、配信された１つまたは複数の電子チラシから、買い物リストを作成し、ユーザに提示することを特徴とする買い物リストを利用した買い物支援システム。
【００９２】
(付記８）前記 (付記１）の買い物リスト作成手段において、買い物概要リストの商品名やカテゴリとマッチする商品が複数ある場合には、該当する商品のイメージを例えばハイライトや枠線、点滅などのように複数マッチした商品があることがわかるイメージで提示し、あるいは、買い物概要リストの同じ商品名やカテゴリとマッチした複数の商品ごとに同じ表現方法をとることで同じ商品名やカテゴリでマッチしたことがわかるイメージで提示し、また買い物概要リストの商品名やカテゴリとマッチする商品が複数ある場合には、ユーザからマッチした複数の商品の確認が要求されると、マッチした複数の商品の情報や比較した情報などを提示することを特徴とする買い物リストを利用した買い物支援システム。
【図面の簡単な説明】
【００９３】
【図１】本発明の実施形態概略図である。
【図２】本発明の第１の実施の形態説明図である。
【図３】携帯端末における編集説明図である。
【図４】本発明の第２の実施の形態説明図（その１）である。
【図５】本発明の第２の実施の形態説明図（その２）である。
【図６】買い物概要リスト作成説明図である。
【図７】本発明の第３の実施の形態説明図である。
【図８】本発明の第４の実施の形態説明図である。
【図９】本発明の第５の実施の形態説明図である。
【符号の説明】
【００９４】
１  ホームネットワーク
２  インターネット
３  在庫管理冷蔵庫
４  第１在庫管理棚
５  第２在庫管理棚
６  デジタルテレビ
７  買い物リスト作成ＰＣ
８  電子チラシ配信局
９  料理番組配信局
１０  携帯端末
１１  電子チラシ配信サーバ
１２  レシピサイト
１３  店舗１サーバ
１４  店舗２サーバ
３０  買い物リスト作成手段
３１  買い物リスト送信手段
３２、３２′  電子チラシ
３３  イメージ
３４  チラシ情報データ
３５  商品情報データ
３６、３６′  買い物リスト
３７、３８  分割買い物リスト  
【図１】
2006236014.tif 000003
【図２】
2006236014.tif 000004
【図３】
2006236014.tif 000005
【図４】
2006236014.tif 000006
【図５】
2006236014.tif 000007
【図６】
2006236014.tif 000008
【図７】
2006236014.tif 000009
【図８】
2006236014.tif 000010
【図９】
2006236014.tif 000011